(57)【要約】【課題】本発明は、構造を簡易化させて操作性を向上させるとともに、スクリーンユニットの取り付けの微細な調整が可能な投射型映像表示装置を提供することを目的とする。【解決手段】本発明による投射型映像表示装置は、映像が投射されるスクリーンを有するスクリーンユニット１０３と、スクリーンに背面から映像を投射する投射ユニット２と、スクリーンユニット１０３を、スクリーンに対して略法線方向に移動可能に支持する、左右一対のスライド機構と、左右一対のスライド機構の各々を連結し、正確に同期移動させるリンクシャフト１４１とを備えることを特徴とする。【選択図】図２
2010117395.tif 000002
【特許請求の範囲】
【請求項１】
映像が投射されるスクリーンを有するスクリーンユニットと、
前記スクリーンに背面から映像を投射する投射ユニットと、
前記スクリーンユニットを、前記スクリーンに対して略法線方向に移動可能に支持する、左右一対のスライド機構と、
前記左右一対のスライド機構の各々を連結し同期移動させるリンクシャフトと、
を備える、投射型映像表示装置。
【請求項２】
映像が投射されるスクリーンを有するスクリーンユニットと、
前記スクリーンユニットを、前記スクリーンに対して略平行な回転軸を中心として回動可能に支持する回動機構と、
前記回動機構に連係されて前記スクリーンユニットを回動させるための弾性力を発生させ、少なくとも一端の取り付け位置が変更可能な弾性手段と、
を備える、投射型映像表示装置。
【請求項３】
前記回動機構は、前記スライド機構に形成された鉤型形突出部と嵌合可能に形成された嵌合穴を備える回動プレートを有し、
前記弾性手段の一端は前記回動プレートに取り付けられ、他端は前記スクリーンユニットに取り付けられることを特徴とする、請求項２に記載の投射型映像表示装置。
【請求項４】
前記スライド機構が左右に配設され、前記投射ユニットを内包する筐体と、
前記筐体と前記スクリーンユニットとを係止する係止手段と、
をさらに備え、
前記係止手段は、前記筐体および前記スクリーンユニットの左右両側面の少なくとも一方に設けられることを特徴とする、請求項１に記載の投射型映像表示装置。
【請求項５】
前記係止手段は、前記スライド機構に形成された鉤型突出部と、前記スクリーンユニットに設けられた回動プレートに形成された嵌合穴とが嵌合することによって係止されることを特徴とする、請求項４に記載の投射型映像表示装置。
【請求項６】
前記スライド機構が左右に配設され、前記投射ユニットを内包する筐体と、
前記筐体に対する前記スクリーンユニットの位置調整を行うために、前記スライド機構に設けられた位置調整手段と、
をさらに備えることを特徴とする、請求項１に記載の投射型映像表示装置。
【請求項７】
前記位置調整手段は、
前記スクリーンユニットの略水平方向の位置調整を行う第１の位置調整部と、
前記スクリーンユニットの略垂直方向の位置調整を行う第２の位置調整部と、
を備えることを特徴とする、請求項６に記載の投射型映像表示装置。
【請求項８】
前記スクリーンユニットの着脱が可能な所定の位置において、
前記スライド機構をロックする第１のロック手段と、
前記回動機構をロックする第２のロック手段と、
をさらに備え、
前記第１のロック手段および前記第２のロック手段を、前記スライド機構および前記回動機構のそれぞれ少なくとも片側に備えることを特徴とする、請求項１ないし請求項７のいずれかに記載の投射型映像表示装置。
【請求項９】
前記第１のロック手段は、前記スライド機構を構成する固定部分の凸部と、可動部分の凹部とが嵌合することによってロックされ、
前記第２のロック手段は、前記回動機構と、前記スクリーンユニットに設置されたロックプレートとが係合することによってロックされることを特徴とする、請求項８に記載の投射型映像表示装置。
【発明の詳細な説明】
【技術分野】
【０００１】
本発明は、投射型映像表示装置に関し、特に、スクリーンに対して背面から映像を投射して表示する投射型映像表示装置に関する。
【背景技術】
【０００２】
従来より、投射ユニットからスクリーンの背面に映像を投射する投射型映像表示装置である背面投射型映像表示装置が知られている。一般的な背面投射型映像表示装置では、スクリーンを備えたスクリーンユニットが、投射ユニット等を収容した筐体の背面からネジなどによって筐体の前面に着脱可能に取り付けられている。近年では、投射型映像表示装置の設置時の省スペース化によって、筐体の背面を壁に密着させて設置することができ、全てのメンテナンスを筐体の前面から行えるものが開発されており、これらの構造の簡易化、低コスト化が求められている。
【０００３】
筐体の前面からメンテナンスを行うことが可能な投射型映像表示装置としては、スクリーンユニットの着脱作業時における落下等を防止し、着脱作業の確実性を向上させた投射型映像表示装置がある（例えば、特許文献１参照）。
【０００４】
【特許文献１】特開２００５−２２１８３４号公報
【発明の開示】
【発明が解決しようとする課題】
【０００５】
特許文献１では、スクリーンや筐体のサイズが変わると部品も変更しなければならなかった。また、投射型映像表示装置を構成する部品数が多数あるため構造が複雑となり、装置の組み立てに多くの時間とコストが必要であった。さらに、筐体へのスクリーンユニットの取り付けの微細な調整が困難であるため、スクリーンユニットを筐体から前方にスライドさせるとスクリーンユニットが調整位置からずれてしまい、投射型映像表示装置をマルチ（上下左右）に並べて設置されている場合には、隣接するスクリーンユニット同士が接触して破損する恐れがある。
【０００６】
本発明は、これらの課題を解決するためになされたもので、構造を簡易化させて操作性を向上させるとともに、スクリーンユニットの取り付けの微細な調整が可能な投射型映像表示装置を提供することを目的とする。
【課題を解決するための手段】
【０００７】
上記の課題を解決するために、本発明による投射型映像表示装置は、映像が投射されるスクリーンを有するスクリーンユニットと、スクリーンに背面から映像を投射する投射ユニットと、スクリーンユニットを、スクリーンに対して略法線方向に移動可能に支持する、左右一対のスライド機構と、左右一対のスライド機構の各々を連結し同期移動させるリンクシャフトとを備えることを特徴とする。
【発明の効果】
【０００８】
本発明によると、映像が投射されるスクリーンを有するスクリーンユニットと、スクリーンに背面から映像を投射する投射ユニットと、スクリーンユニットを、スクリーンに対して略法線方向に移動可能に支持する、左右一対のスライド機構と、左右一対のスライド機構の各々を連結し同期移動させるリンクシャフトとを備えるため、構造を簡易化させて操作性を向上させるとともに、スクリーンユニットの取り付けの微細な調整が可能となる。
【発明を実施するための最良の形態】
【０００９】
本発明の実施形態について、図面を用いて以下に説明する。
【００１０】
まず初めに、本発明の前提となる技術である特許文献１について説明する。
【００１１】
図１１は、従来における投射型映像表示装置の側断面図である。図１１に示すように、筐体左側面に設置されたスライドベース１０６と、筐体右側面に設置されたスライドベース（図示せず）は、左右のスライドベース１０６を連結し、同期移動させるために、支軸１４１、揺動レバー１４０などが設置されているが、揺動レバー１４１の長さが長いため、同期の精度が悪く、さらに、これらの部品は、スクリーンまたは筐体のサイズが変わるたびに変更する必要がある。また、スクリーンユニット１０３を開閉させるときに、スクリーンユニットの重量を軽減させるために用いられているダンパーなどもスクリーンユニットのサイズや重量が変わるたびに変更する必要がある。
【００１２】
図１２は、従来における投射型映像表示装置の位置調整機構の側面図である。スクリーンユニット１０３を筐体１０１に密着させる際には、筐体１０１に設けられた固定プレート１２０および係止プレート１２１に接触することによって上下左右方向の位置が固定される。しかし、スクリーンユニット１０３を筐体１０１から前方にスライドさせると、スクリーンユニット１０３が位置調整プレートから外れてしまうため調整位置からずれてしまう。そのため、複数の投射型映像表示装置を上下左右に隣接して設置している場合において、隣接するスクリーンユニット同士が接触して破損する恐れがある。また、図１２および図１３に示すように、固定プレート１２０および係止プレート１２１は、スクリーンユニット１０３の係合孔１０３ａに挿入されているため、スクリーンユニット１０３を筐体１０１から前方にスライドさせた状態でなければ位置調整することができない。さらに、図１３に示すように、固定プレート１２０および係止プレート１２１の位置調整は、ネジ１３０〜１３２のみによって結束されているので、微細な位置調整が困難である。
【００１３】
また、図１１に示すように、スライドユニットのスライドストッパ１０４およびスクリーンユニットの閉端における開閉ストッパ１１７は、筐体１０１の両側面に設置されたスライドユニットの各々に設けられており、各ストッパの解除時には、両手で同時に操作する必要があった。そのため、両手で同時に届かないサイズのスクリーンでは、解除を保持する機構が必要となり、操作が複雑となってコストもかかるという問題があった。
【００１４】
さらに、図１１に示すように、スライドユニット側は多数の部品から構成され、筐体１０１への取り付けには多数のネジが必要となる。一方、スクリーンユニット１０３側でも、フレームスクリーンに対して多数の部品を取り付ける必要があり、多数のネジを使用するため取り付け時間がかかるという問題があった。
【００１５】
本発明による実施形態では、上記の問題を解決するために、構造を簡易化させて操作性を向上させるとともに、スクリーンユニットの取り付けの微細な調整が可能な投射型映像表示装置を提供することを目的としており、以下に詳細に説明する。
【００１６】
図１は、本発明の実施形態による投射型映像表示装置１の斜視図である。図１に示すように、本実施形態による投射型映像表示装置は、筐体１０１と、映像が投射されるスクリーンＳを有するスクリーンユニット１０３とから構成されており、スクリーンユニット１０３の前面にはスクリーンＳが設置されている。図１に示した状態（映像投射可能な状態）で、スクリーンＳに映像を表示させる。図中において、スクリーンＳの水平方向をＸ方向（左右方向）、スクリーンＳの垂直方向をＺ方向（上下方向）、スクリーンＳの表示面に対して法線方向をＹ方向（前後方向）とする。Ｙ方向は、筐体１０１からスクリーンユニット１０３に向かう方向を＋Ｙ方向（前方）、その反対方向を−Ｙ方向（後方）とする。なお、これらの方向は、説明の便宜上使用するものであって、投射型映像表示装置１の使用時の向きを限定するものではない。また、本実施形態による投射型映像表示装置１は、単体で使用することができるが、例えば、上下左右方向に複数並べることによってマルチプロジェクタとして使用することもできる。
【００１７】
図２は、本発明の実施形態による投射型映像表示装置１の側断面図である。図２に示すように、筐体１０１内には、投射レンズ２ａを介してスクリーンＳに背面から映像を投射する投射ユニット２が設置されている。投射ユニット２から射出される射出光の光路上には、射出光をスクリーンＳに向けて反射させるためのミラー５が設けられている。また、スクリーンＳに対する投射ユニット２の相対的な位置調整を行うために、位置調整機構４が投射ユニット２の下部に設置されている。なお、以降の図面では、投射ユニット２、位置調整機構４、およびミラー５の図示を省略している。
【００１８】
図１および図２に示すスクリーンユニット１０３は、筐体１０１に対して前後方向に（Ｙ方向）に移動可能であり、かつ、左右方向（Ｘ方向）に規定される回転軸を中心として回動可能に構成されている。以下、スクリーンユニット１０３の移動および回動させる構成について順に説明する。
【００１９】
まず、スクリーンユニット１０３を筐体１０１に対して前後方向に移動させる構成について説明する。
【００２０】
図３は、本発明の実施形態による投射型映像表示装置１の側断面図であり、スライドベース１０６が筐体１０１から前方（＋Ｙ方向）の限界位置まで突出した状態を示している。このとき、スライドベース１０６の位置を突出位置とする。筐体１０１の両側面の内側には、前後方向に長尺部材であるベースプレート１０２が固定されている。ベースプレート１０２には、前後方向に延在するスライドレール１２７が設置されており、スライドレール１２７に沿って移動可能となるようにスライダ１２８を備えたスライドベース１０６が設けられている。スライドベース１０６は、使用者が前方または後方に力を加えることによってスクリーンユニット１０３を前後方向に移動させる。なお、スライドベース１０６およびスライドレール１２７の各々は、筐体１０１の両側面の内側に相対して設置されている。
【００２１】
図４は、本発明の実施形態による投射型映像表示装置１の側断面図であり、スライドベース１０６が筐体１０１の後方（−Ｙ方向）の限界位置まで移動した状態を示している。このとき、スライドベース１０６の位置を収納位置とする。スクリーンユニット１０３が取り付けられていない状態において、スライドベース１０６が不用意に移動しないように収納位置にてロックするために、後述する図５に示すようなロック機構が設けられている。また、図５に示すロック機構は、図３の状態でスクリーンユニット１０３を回動させる場合や着脱する場合などにおいても、スライドベース１０６が移動しないようにするために設けられている。
【００２２】
図５は、本発明の実施形態による投射型映像表示装置１のスライドベース１０６のロック機構の側面図である。図５に示すように、スライドベース１０６上の下部には、筐体１０１の前後方向に長尺状のスライドストッパ１０４（第１のロック手段）が付設されている。スライドストッパ１０４は、長手方向の略中央部にて支軸１０５によって揺動可能に支持されており、後端近傍であって下方向（−Ｚ方向）に凹部１０４ｂを形成している。また、スライドストッパ１０４は、支軸１０５を中心とした自重のバランスによって、図５において反時計回り方向に揺動するように付勢されている。なお、スライドストッパ１０４は、スライド機構の片側に備えてもよい。また、スライドストッパ１０４は、スクリーンユニット１０３の着脱が可能な所定の位置においてロックされる。
【００２３】
ベースプレート１０２は、スライドストッパ１０４に形成された凹部１０４ｂに対して係合可能な位置に凸部１０２ａおよび凸部１０２ｂを形成している。スライドベース１０６が収納位置に存在する場合において、ベースプレート１０２の凸部１０２ａがスライドストッパ１０４の凹部１０４ｂに係合することによって、スライドベース１０６がロックされる。一方、スライドベース１０６が突出位置に達すると、ベースプレート１０２の凸部１０２ｂがスライドストッパ１０４の凹部１０４ｂに係合することによって、スライドベース１０６がロックされる。すなわち、スライド機構を構成する固定部分の凸部と、可動部分の凹部とが嵌合することによってロックされる。ロックの解除方法は、使用者がスライドストッパ１０４の前端に形成された屈曲部１０４ａを下方向に押し下げることによってロックが解除され、収納位置と突出位置との間でスライドベース１０６を自由に移動させることができる。なお、スクリーンユニット１０３を取り付けている場合において、スライドベース１０６は収納位置まで達しないためロックされることはない。
【００２４】
図６は、本発明の実施形態による投射型映像表示装置１のスライド機構の斜視図である。図６に示すように、ベースプレート１０２の前方にベアリング１０７、後方にプーリ１０８が各々回動可能に設置されており、ベアリング１０７およびプーリ１０８を連係させるようにタイミングベルト１０９が設けられている。タイミングベルト１０９の一端は、プレート１１７によってスライドベース１０６に結束されている。図６に示すスライド機構は、スクリーンユニット１０３をスクリーンＳに対して略法線方向（Ｙ方向）に移動可能に支持するために、筐体１０１の両側面に左右一対で設けられている。また、プーリ１０８は、内側にＤ形状の穴を有し、同形状のリンクシャフト１４１の両端のそれぞれを、各ベースプレート１０２に設けられたプーリ１０８の穴に差し込むことによって、左右一対のスライド機構の各々を連結し、正確に同期移動させることができる。従って、スライドストッパ１０４は、少なくとも、左右一対のスライド機構のうちのいずれか一方に取り付ければよい。
【００２５】
次に、スクリーンユニット１０３をスライドベース１０６に取り付けるための構成について説明する。
【００２６】
図７は、本発明の実施形態による投射型映像表示装置１の係止機構の斜視図である。図７では、視認性を良くするために、スクリーンユニット１０３とスライドベース１０６とを離して図示している。係止機構（係止手段）とは、筐体１０１とスクリーンユニット１０３とを係止する機構のことである。スライドベース１０６は、ハンガープレート１３１を備えており、ボルト１３５（第２の位置調整部）を回動することによってハンガープレート１３１を上下方向（Ｚ方向）に移動させることが可能である。また、ハンガープレート１３１は、ホルダープレート１３２を備えており、ボルト１３６（第１の位置調整部）を回動することによってホルダープレート１３２を左右方向（Ｘ方向）に移動させることが可能である。すなわち筐体１０１に対するスクリーンユニット１０３の位置調整を行うために、スライド機構に設けられた位置調整手段は、ボルト１３５は上下方向（略垂直方向）の位置調整を行い、ボルト１３６は左右方向（略水平方向）に位置調整を行っている。なお、ハンガープレート１３１およびホルダープレート１３２は、各スライドベース１０６に設けられているが、ボルト１３６による左右方向調整機構を持つのは左右両側面の一方に設けられる。
【００２７】
スクリーンユニット１０３には、回動プレート１１５が配置されており、ホルダープレート１３２の先端屈曲部１３２ａ（鉤型突出部）に対して上下方向（−Ｚ方向）および左右方向（Ｘ方向）に嵌合するように角穴１１５ａ（嵌合穴）が形成されている。すなわち、回動プレート１１５は、スライド機構に形成された鉤型突出部と嵌合可能に形成された嵌合穴を備えている。つまり、係止機構は、スライド機構に形成された鉤型突出部と、スクリーンユニットに設けられた回動プレートに形成された嵌合穴とが嵌合することによって係止される。このような構成によって、スクリーンユニット１０３は、上下左右方向（Ｘ方向およびＹ方向）に調整された位置を変えることなく、スライドベース１０６によって収納位置と突出位置との間を移動することができる。また、スクリーンユニット１０３をスライド機構に取り付ける際には、回動プレート１１５の上端に形成された上端凹部１１５ｂをハンガープレート１３１の上端屈曲部１３１ａに嵌合させることによって、ホルダープレート１３２の先端屈曲部１３２ａと回動プレート１１５の角穴１１５ａとの嵌合を容易に行うことが可能となるため、スクリーンユニット１０３の取り付けミスを防止することができる。
【００２８】
なお、図７〜図１０では、スクリーンＳの図示を便宜上省略している。また、図７および図８では、後述するロックホルダ１２０および板バネ１１２、１１９の図示を省略している。
【００２９】
次に、スクリーンユニット１０３を回動させるための構成について説明する。
【００３０】
図８は、本発明の実施形態による投射型映像表示装置１の回動機構の斜視図である。図８に示すように、スクリーンユニット１０３の内壁にはスクリーンプレート１１６が設けられ、スクリーンプレート１１６の上部には、スクリーンユニット１０３をスクリーンＳに対して略平行で左右に伸びる回転軸を中心として回動可能に支持する回動プレート１１５（回動機構）が、支軸１１４によって設置されている。上述の通り、回動プレート１１５はホルダープレート１３２と嵌合しているため静止し、スクリーンプレート１１６が支軸１１４によって設置されているスクリーンユニット１０３が回動する。
【００３１】
図７に示すように、スクリーンユニット１０３には、回動プレート１１５に連係されてスクリーンユニット１０３を回動させるための弾性力を発生させ、少なくとも一端の取り付け位置が変更可能なガススプリング１１８（弾性手段）が備えられている。ガススプリング１１８の上端部は、回動プレート１１５に設けられたダンパーホルダー上１２１に備えられた支軸１１３によって設置され、ガススプリング１１８の下端部は、スクリーンプレート１１６に設けられたダンパーホルダー下１２２に備えられた支軸１２４によって設置されている。すなわち、ガススプリング１１８の一端は回動プレート１１５に取り付けられ、他端はスクリーンユニット１０３に取り付けられている。
【００３２】
ガススプリング１１８は、延伸方向に付勢力を生じるものであり、図７において、支軸１１４を中心としてスクリーンユニット１０３を＋Ｙ方向に回動するように付勢する。スクリーンユニット１０３は、後述のように回動がロックされていなければ、支軸１１４を中心として＋Ｙ方向に回動する。また、ダンパーホルダー上１２１とダンパーホルダー下１２２のうちのいずれかまたは両方の取り付け位置を変更することによって、多種のサイズ、重量のスクリーンユニット１０３に対応することが可能となる。
【００３３】
図９は、本発明の実施形態による投射型映像表示装置１のスクリーンユニット１０３の開閉ストッパの斜視図である。スクリーンユニット１０３には、スクリーンＳ面と平行な板面を有するスクリーンプレート１１６が一体となって設けられており、スクリーンプレート１１６では、ロックプレート１１０（第２のロック手段）が支軸１１１によって回動可能に支持されている。このように、回動プレート１１５と、スクリーンユニット１０３に設置されたロックプレート１１０とが係合することによってロックされる。なお、ロックプレート１１０は、回動プレート１１５の一方に備えてもよい。また、ロックプレート１１０は、スクリーンユニット１０３の着脱が可能な所定の位置においてロックされる。
【００３４】
スクリーンプレート１１６には屈曲部１１６ａが形成されており、ロックプレート１１０を支軸１１１を中心として−Ｙ方向に回動させるように付勢する板バネ１１２が設けられている。ロックプレート１１０に形成された挟持部１１０ａが、板バネ１１２の付勢力によって回動プレート１１５に形成された挟持部１１５ａに係合することによって、スクリーンプレート１１６は回動プレート１１５に対して回動しないようにロックされる。また、ロックプレート１１０に形成された屈曲部１１０ｂを下方（−Ｚ方向）に押し下げると、挟持部１１０ａの上端が回動プレート１１５の挟持部１１５ａから外れて回動プレート１１５の回動のロックが解除される。ロックが解除されると、ガススプリング１１８の付勢力および使用者の力によって、スクリーンユニット１０３は支軸１１４を中心として＋Ｙ方向に回動する。なお、図９では、ガススプリング１１８の図示を便宜上省略している。
【００３５】
図１０は、本発明の実施形態による投射型映像表示装置１のスクリーンユニット１０３の開閉ストッパの斜視図である。図１０に示すように、回動プレート１１５には、必要時以外（例えば、スクリーンユニット１０３を筐体１０１に取り付けていない状態）に回動しないように規制するために、略上下方向に移動可能なロックホルダ１２０が設けられている。スクリーンユニット１０３を筐体１０１に取り付けている場合において、ロックホルダ１２０は、図７に示すホルダープレート１３２の先端屈曲部１３２ａに略上方向に持ち上げられるため、回動プレート１１５は回動可能な状態になる。一方、スクリーンユニット１０３を筐体１０１から外す場合において、使用者はスクリーンユニット１０３を略上方向に持ち上げる。このとき、ロックホルダ１２０の上部突起部１２０ａは、ハンガープレート１３１の上部屈曲部１３１ａによって略下方向に押し下げられる。従って、ロックホルダ１２０の下方に形成された挟持部１２０ｂは、スクリーンプレート１１６に形成された起立部１１６ｂに係合するため、スクリーンプレート１１６は回動プレート１１５に対して回動しないようにロックされる。また、スクリーンユニット１０３を筐体１０１に取り付けていない場合において、ロックホルダ１２０が不用意に解除されないように、回動プレート１１５に設けられた板バネ１１９の付勢力によって略下方向（−Ｚ方向）に押し下げられている。
【００３６】
以上のことから、本実施形態による投射型映像表示装置は、リンクシャフト１４１の長さの変更のみで多種サイズの筐体１０１に対応可能となる。また、ガススプリング１１８の設置位置の変更のみで、多種サイズ、重量のスクリーンユニット１０３に使用可能となる。従って、筐体１０１やスクリーンユニット１０３のサイズや重量が変わっても、同一部材を使用することができるため、コストダウンや在庫数を軽減することができる。
【００３７】
また、図７に示すような係止機構とすることによって、スライドベース１０６によって収納位置と突出位置との間を移動する際に、位置調整が変わることなく移動することができる。従って、投射型映像表示装置１を上下左右に複数並べてマルチプロジェクタとした場合において、隣接するスクリーンユニットとの接触による破損を防止することができる。また、ハンガープレート１３１に設けられたボルト１３５による垂直（上下）方向の位置調整、およびホルダープレート１３２のボルト１３６による水平（左右）方向の位置調整によって微細な調整が可能となる。さらに、これらのボルトに対して遠隔操作可能なモーターなどを結束することにより、スクリーンユニット１０３が筐体１０１と密接している状態であっても位置調整が可能となる。
【００３８】
また、スライドストッパ１０４およびロックプレート１１０は、筐体１０１およびスクリーンユニット１０３の左右両側面の少なくとも一方に設ければよいため、使用者が両手が届かない大型サイズのスクリーンユニット１０３であっても片手で操作できる。
【００３９】
上記のことから、スクリーンユニット１０３や、スライドに用いる部材をユニット化することによって、投射型映像表示装置１の組立時間を軽減することが可能となる。
【００４０】
以上、本発明の一実施形態について説明したが、本発明は、上述した具体的構成に限られるものではなく、本発明の趣旨を逸脱しない範囲内で種々の変形が可能である。
【図面の簡単な説明】
【００４１】
【図１】本発明の実施形態による投射型映像表示装置の斜視図である。
【図２】本発明の実施形態による投射型映像表示装置の側断面図である。
【図３】本発明の実施形態による投射型映像表示装置の側断面図である。
【図４】本発明の実施形態による投射型映像表示装置の側断面図である。
【図５】本発明の実施形態による投射型映像表示装置のスライドベースのロック機構の側面図である。
【図６】本発明の実施形態による投射型映像表示装置のスライド機構の斜視図である。
【図７】本発明の実施形態による投射型映像表示装置の係止機構の斜視図である。
【図８】本発明の実施形態による投射型映像表示装置の回動機構の斜視図である。
【図９】本発明の実施形態による投射型映像表示装置のスクリーンユニットの開閉ストッパの斜視図である。
【図１０】本発明の実施形態による投射型映像表示装置のスクリーンユニットの開閉ストッパの斜視図である。
【図１１】従来における投射型映像表示装置の側断面図である。
【図１２】従来における投射型映像表示装置の位置調整機構の側面図である。
【図１３】従来における投射型映像表示装置の位置調整機構の側面図である。
【符号の説明】
【００４２】
１  投射型映像表示装置、２  投射ユニット、２ａ  投射レンズ、４  位置調整機構、５  ミラー、１０１  筐体、１０２  ベースプレート、１０２ａ  凸部、１０２ｂ  凸部、１０３  スクリーンユニット、１０４  スライドストッパ、１０４ａ  屈曲部、１０４ｂ  凹部、１０５  支軸、１０６  スライドベース、１０７  ベアリング、１０８  プーリ、１０９  タイミングベルト、１１０  ロックプレート、１１０ａ  挟持部、１１０ｂ  屈曲部、１１１  支軸、１１２  板バネ、１１３  支軸、１１４  支軸、１１５  回動プレート、１１５ａ  角穴、１１５ｂ  凹部、１１６  スクリーンプレート、１１６ａ  屈曲部、１１６ｂ  起立部、１１７  プレート、１１８  ガススプリング、１１９  板バネ、１２０  ロックホルダ、１２０ａ  突起部、１２０ｂ  挟持部、１２１  ダンパーホルダー上、１２２  ダンパーホルダー下、１２７  スライドレール、１２８  スライダ、１３１  ハンガープレート、１３１ａ  屈曲部、１３２  ホルダープレート、１３５  ボルト、１３６  ボルト、１４１  リンクシャフト。
【図１】
2010117395.tif 000003
【図２】
2010117395.tif 000004
【図３】
2010117395.tif 000005
【図４】
2010117395.tif 000006
【図５】
2010117395.tif 000007
【図６】
2010117395.tif 000008
【図７】
2010117395.tif 000009
【図８】
2010117395.tif 000010
【図９】
2010117395.tif 000011
【図１０】
2010117395.tif 000012
【図１１】
2010117395.tif 000013
【図１２】
2010117395.tif 000014
【図１３】
2010117395.tif 000015